(57)【要約】【課題】停電の際に、利用者に与える不都合を軽減し、バックアップ電源により長時間動作することが可能な自動改札機を提供する。【解決手段】自動改札装置１０が、ＩＣカードとの間でデータ送受を行うＩＣカード処理部１７と磁気カードを搬送する磁気カード搬送部１８と、磁気カードとの間でデータ送受を行う磁気カード処理部と、ドア部２３等と、これらの各部を制御する主制御手段２８と、商用交流に基づき、磁気カード搬送部、ドア部等の各々に電力供給を行うパワー装置用電源３２と、商用交流に基づき、ＩＣカード処理部等に電力供給を行う制御装置用電源３３と、停電時に２つの電源に電力を供給するバックアップ電源３４と、停電時に、制御装置用電源から供給される電力で動作し、パワー装置用電源からの複数の電力供給をバックアップ電源のバッテリ残量に応じて段階的に停止させる電源制御手段３６とを備える。【選択図】図２
2010257171.tif 000002
【特許請求の範囲】
【請求項１】
ＩＣカード接触部を介してＩＣカードとの間でデータ送受を行うＩＣカード処理部と、
磁気カードを投入口から取り出し口まで搬送する磁気カード搬送部と、
搬送中の前記磁気カードとの間でデータ送受を行う磁気カード処理部と、
改札通路利用者を検知するセンサ部と、
改札通路の開閉を行うドア部と、
前記ＩＣカードまたは前記磁気カードとの間でのデータ送受の結果を表示する画面表示装置と、
各種の表示灯を含む灯火機器と、
前記ＩＣカード処理部、前記磁気カード搬送部、前記磁気カード処理部、前記ドア部、前記センサ部、前記画面表示装置、および前記灯火機器の各々の動作を制御する主制御手段とを備え、
ＩＣカードと磁気カードの両方に対応する自動改札装置において、
商用交流に基づき、前記磁気カード搬送部、前記センサ部、前記ドア部、前記画面表示装置、および前記灯火機器の各々に電力供給を行う第１電源と、
前記商用交流に基づき、前記ＩＣカード処理部、前記磁気カード処理部、および前記主制御手段の各々に電力供給を行う第２電源と、
前記商用交流の停電時に動作し、前記第１電源と前記第２電源に電力を供給するバックアップ電源と、
前記商用交流の停電時に、前記第２電源から供給される電力で動作し、前記第１電源からの複数の前記電力供給を前記バックアップ電源のバッテリ残量に応じて段階的に停止させる電源制御手段と、
を備えることを特徴とする自動改札装置。
【請求項２】
前記電源制御手段は、前記バックアップ電源の前記バッテリ残量に応じて、前記ドア部への電力供給を停止する第１の段階、前記磁気カード搬送部への電力供給を停止する第２の段階、前記画面表示装置への電力供給を停止する第３の段階、前記センサ部および前記灯火機器への電力供給を停止する第４の段階を、順次に実行することを特徴とする請求項１記載の自動改札装置。
【請求項３】
前記バッテリ残量が１００％から７５％に至るまでは全ての前記電力供給を行い、前記バッテリ残量が７５％以下のときには前記第１の段階を実行し、前記バッテリ残量が５０％以下のときには前記第２の段階を実行し、前記バッテリ残量が４０％以下のときには前記第３の段階を実行し、前記バッテリ残量が３０％以下のときには前記第４の段階を実行することを特徴とする請求項２記載の自動改札装置。
【請求項４】
前記電源制御手段は、前記バックアップ電源の前記バッテリ残量に応じて、ＩＣカードと磁気カードの両方に対応し得る第１の段階と、前記磁気カード搬送部への電力供給を停止してドア部の開閉動作可能なＩＣカード専用機としての第２の段階、および前記ドア部への電力供給を停止してドア部無しのＩＣカード専用機としての第３の段階を、順次に実行することを特徴とする請求項１記載の自動改札装置。
【請求項５】
前記電源制御手段は、前記バックアップ電源の前記バッテリ残量に応じて、ＩＣカードと磁気カードの両方に対応し得る第１の段階と、前記磁気カード搬送部と前記ドア部への電力供給を同時に停止してドア部無しのＩＣカード専用機としての第２の段階を実行することを特徴とする請求項１記載の自動改札装置。
【発明の詳細な説明】
【技術分野】
【０００１】
本発明は自動改札装置に関し、特に、ＩＣカードと磁気カードの両方で利用でき、停電時にバックアップ電源（非常電源）で動作させるとき効率良く縮退動作（停止動作）させる自動改札装置に関する。
【背景技術】
【０００２】
近年、ＩＣカード（無線ＩＣタグ）と磁気カードの両方で利用できるＩＣカード・磁気カード兼用の自動改札装置が広く使用されている。これまでの兼用の自動改札装置では、駅全体の停電等により電力の供給が停止されると、全ての自動改札装置が動作しなくなり、ＩＣカードと磁気カードの両方が利用できなくなっていた。
【０００３】
特に、ＩＣカードについては、入場時と出場時の両方でＩＣカードと自動改札装置との間でデータの送受を行い、ＩＣカードに記憶される残額から運賃を引き去る操作が必要である。このため、駅全体の停電等が発生した場合には、係員が別電源で稼動する処理機を用いてＩＣカードに記憶される残額から運賃を引き去る操作を行ったり、利用者に一旦駅構内から出場してもらい、後日、係員が、ＩＣカードに記憶される残額から運賃を引き去る操作を行う必要があった。このようなことが複数の駅で発生している場合には、ＩＣカードによる乗降が全くできなくなるばかりでなく、鉄道車両の運行を含む鉄道システム全体に支障を生じることがあった。
【０００４】
近年、停電時に電気機器の動作を一定の時間確保するために、バックアップ電源としてバッテリ等を備える無停電電源装置（ＵＰＳ：Uninterruptible Power Supply）が使用されている。ＩＣカードと磁気カード兼用の自動改札装置も、停電時に無停電電源装置から電力の供給を受け、ＩＣカードと磁気カードのデータ処理を行うことにより、停電時の混乱を低減できるようになっている。
【先行技術文献】
【特許文献】
【０００５】
【特許文献１】特開平０５−０３２１６７号公報
【特許文献２】特開平１１−１１０５９２号公報
【発明の概要】
【発明が解決しようとする課題】
【０００６】
しかしながら、無停電電源装置から供給できる電力容量と時間には限りがある。他方、ＩＣカードと磁気カードの両方で利用できる兼用の自動改札装置は、その構造から待機時電力が大きい。このために、停電時に、利用者に不都合を与えることなく、自動改札装置を長時間動作させることができず、利用者に不都合を与えるという問題があった。
【０００７】
本発明の目的は、商用電源による交流供給が停止された停電の際に、ＩＣカードと磁気カード兼用の自動改札装置の各部の機能停止動作（縮退動作）を段階的に少なくし、自動改札装置の各部を重要なものから可能な限り使用可能な状態に維持し、利用者に与える不都合を軽減し、バックアップ電源によってできるだけ長時間動作することが可能な自動改札装置を提供することにある。
【課題を解決するための手段】
【０００８】
本発明に係る自動改札装置は、上記の目的を達成するため、次のように構成される。
【０００９】
第１の自動改札装置（請求項１に対応）は、ＩＣカード接触部を介してＩＣカードとの間でデータ送受を行うＩＣカード処理部と、磁気カードを投入口から取り出し口まで搬送する磁気カード搬送部と、搬送中の磁気カードとの間でデータ送受を行う磁気カード処理部と、改札通路利用者を検知するセンサ部と、改札通路の開閉を行うドア部と、ＩＣカードまたは磁気カードとの間でのデータ送受の結果を表示する画面表示装置と、各種の表示灯を含む灯火機器と、ＩＣカード処理部、磁気カード搬送部、磁気カード処理部、ドア部、センサ部、画面表示装置、および灯火機器の各々の動作を制御する主制御手段とを備え、ＩＣカードと磁気カードの両方に対応する自動改札装置において、商用交流に基づき、磁気カード搬送部、ドア部、センサ部、画面表示装置、および灯火機器の各々に電力供給を行う第１電源と、商用交流に基づき、ＩＣカード処理部、磁気カード処理部、および主制御手段の各々に電力供給を行う第２電源と、商用交流の停電時に動作し、第１電源と第２電源に電力を供給するバックアップ電源と、商用交流の停電時に、第２電源から供給される電力で動作し、第１電源からの複数の電力供給を前記バックアップ電源のバッテリ残量に応じて段階的に停止させる電源制御手段と、を備えることを特徴とする。
【００１０】
上記の自動改札装置では、商用交流を利用した電源部が、相対的に大きな電力を使用する複数の装置部に電力を供給する第１電源（パワー装置用電源）と、相対的に小さい電力を使用する複数の装置部に電力を供給する第２電源（制御装置用電源）との２系統電源を備える構成であり、停電が生じてバックアップ電源で電力を供給する時、第２電源からの電力で動作する電源制御手段によって、第１電源からの電力で動作する複数の装置部をバッテリ残量に応じて段階的に縮退動作（停止動作）させる。これにより、可能な限り自動改札装置を動作させ、かつ重要度が低い装置部から段階的に自動的に停止させ、利用者の不都合性を可能な限り低減することができる。
【００１１】
第２の自動改札装置（請求項２に対応）は、上記の構成において、好ましくは、電源制御手段は、バックアップ電源のバッテリ残量に応じて、ドア部への電力供給を停止する第１の段階、磁気カード搬送部への電力供給を停止する第２の段階、画面表示装置への電力供給を停止する第３の段階、センサ部および灯火機器への電力供給を停止する第４の段階を、順次に実行することを特徴とする。
【００１２】
第３の自動改札装置（請求項３に対応）は、上記の構成において、好ましくは、バッテリ残量が１００％から７５％に至るまでは全ての電力供給を行い、バッテリ残量が７５％以下のときには第１の段階を実行し、バッテリ残量が５０％以下のときには第２の段階を実行し、バッテリ残量が４０％以下のときには第３の段階を実行し、バッテリ残量が３０％以下のときには第４の段階を実行することを特徴とする。
【００１３】
第４の自動改札装置（請求項４に対応）は、上記の構成において、好ましくは、電源制御手段は、バックアップ電源のバッテリ残量に応じて、ＩＣカードと磁気カードの両方に対応し得る第１の段階と、磁気カード搬送部への電力供給を停止してドア部の開閉動作可能なＩＣカード専用機としての第２の段階、およびドア部への電力供給を停止してドア部無しのＩＣカード専用機としての第３の段階を、順次に実行することを特徴とする。
【００１４】
第５の自動改札装置（請求項５に対応）は、上記の構成において、好ましくは、電源制御手段は、バックアップ電源のバッテリ残量に応じて、ＩＣカードと磁気カードの両方に対応し得る第１の段階と、磁気カード搬送部とドア部への電力供給を同時に停止してドア部無しのＩＣカード専用機としての第２の段階を実行することを特徴とする。
【発明の効果】
【００１５】
本発明によれば、ＩＣカードと磁気カード兼用の自動改札装置の停電時の縮退動作について、バックアップ電源を使用する停電の際に、自動改札装置を構成する各パワー装置部の機能の停止（縮退）を段階的に行い、段階的に少なくして、利用者に与える不都合を軽減し、バックアップ電源により長時間動作することができる。
【００１６】
また本発明によれば、ＩＣカードと磁気カード兼用の自動改札装置において、バックアップ電源に内蔵されるバッテリの残量不足のために自動改札装置全体が停止する直前まで、自動改札装置のＩＣカード処理部とＩＣカードとの間でデータ送受を可能とし、停電に伴う混乱が拡大することを防止することができる。
【図面の簡単な説明】
【００１７】
【図１】本発明の実施形態に係るＩＣカードと磁気カード兼用の自動改札装置を斜めから示す斜視図である。
【図２】本発明の実施形態に係る自動改札装置の電力供給と制御信号の流れを示すブロック図である。
【図３】自動改札装置全体の消費電力に対する自動改札装置を構成する各部の消費電力の割合の一例を示す図である。
【図４】本発明の自動改札装置の第１の動作例を示すフローチャートである。
【図５】停電の際に、複数の機器に対して電力の供給を段階的に停止する場合の、バッテリ残量と停止する機器との関係を概念的に示す図である。
【図６】ＩＣカードと磁気カード兼用の自動改札装置における省電力動作モードによる運転と消費電力の関係の一例を示す図である。
【図７】本発明の自動改札装置の第２の動作例を示すフローチャートである。
【図８】停電の際に、複数の機器に対して電力を供給する場合のバッテリ残量と時間の関係を示す図である。
【発明を実施するための形態】
【００１８】
以下に、本発明の好適な実施形態（実施例）を添付図面に基づいて説明する。
【００１９】
図１は、本発明の実施形態に係る自動改札装置を斜めから示す斜視図である。この自動改札装置１０はＩＣカードと磁気カードの両方に対応し得る装置部を備えた兼用の装置である。図１に示される自動改札装置１０は、筐体１１を有し、ＩＣカードと磁気カードの両方が使用できるように構成されている。
【００２０】
自動改札装置１０は、利用者がＩＣカード６０を接触させるＩＣカード接触部１２、利用者が磁気カードを投入する磁気カード投入口１４、磁気カードを取り出す磁気カード取り出し口１５、ＩＣカード処理部１７、磁気カード搬送部１８、磁気カード処理部１９、センサ部２１、ドア部２３、画面表示装置２５、各種の表示灯を含むランプ（灯火機器）２６、および主制御部２８を備える。
【００２１】
ＩＣカード処理部１７は、ＩＣカード接触部１２を介してＩＣカード６０との間でデータ送受を行い、ＩＣカード６０から読み出されたデータを処理する。磁気カード搬送部１８は、磁気カード投入口１４から投入された磁気カード６０を磁気カード取り出し口１５まで搬送する。磁気カード処理部１９は、磁気カード搬送部１８内を搬送中の磁気カード６０との間でデータ送受を行い、磁気カード６０から読み出されたデータを処理する。
【００２２】
センサ部２１は、筐体１１における改札通路１７の内側面の所要の一定高さに複数配置されており、改札通路２７を通過する利用者の存在を検知する。ドア部２３は、ＩＣカード処理部１７と磁気カード処理部１９の処理結果、およびセンサ部２１の検知結果に基づいて、改札通路２７を開閉する。画面表示装置２５は、ＩＣカード６０または磁気カードとの間で行われるデータ送受の結果を表示する。画面表示装置２５は、例えば液晶表示装置（ＬＣＤ）により構成される。画面表示装置２５には好ましくは操作タッチにより操作入力機能を持たせている。ランプ２６は、磁気カードまたはＩＣカード６０が子供料金であること等を表示する表示灯等である。主制御部２８は、ＣＰＵを備え、ＩＣカード処理部１７、磁気カード搬送部１８、磁気カード処理部１９、センサ部２１、ドア部２３、画面表示装置２５、およびランプ２６の各々の動作を制御する。
【００２３】
図２は、自動改札装置１０における電力供給（太い矢印）と制御信号（細い矢印）の流れを示すブロック図である。商用電源３１は、交流電力（商用交流）を、パワー装置用電源（第１電源）３２と制御装置用電源（第２電源）３３に供給する。そして、パワー装置用電源３２は、磁気カード搬送部１８、センサ部２１、ドア部２３、画面表示装置２５、およびランプ（灯火機器）２６の各々に電力供給を行う。また、制御装置用電源３３は、ＩＣカード処理部１７、主制御部２８、および電源制御部３６の各々に電力供給を行う。なお図２において磁気カード処理部１９の図示は省略している。
【００２４】
そして自動改札装置１０では、商用電源３１からパワー装置用電源３２と制御装置用電源３３への電力供給経路に、バックアップ電源（非常用電源）３４が設けられる。バックアップ電源３４は、一般に無停電電源装置（ＵＰＳ）により構成される。バックアップ電源３４は、バッテリ（３４Ａ：図５に示す）を内蔵し、商用電源３１の停電時に動作し、パワー装置用電源３２と制御装置用電源３３に電力を供給する。
【００２５】
図２に示されるように自動改札装置１０は電源制御部３６を有する。電源制御部３６は制御装置用電源３３から電力の供給を受けて動作する。電源制御部３６は、商用電源３１からの商用交流の停電時に、制御装置用電源３３に内蔵されたバッテリ残量検出部３７によって検出されるバックアップ電源３４のバッテリ残量に応じて、パワー装置用電源３２から複数の電力供給先の装置部、すなわち、磁気カード搬送部１８、センサ部２１、ドア部２３、画面表示部２５、ランプ２６等への電力供給を制御し、当該複数の電力供給先装置への電力供給を所定の順序に従って段階的に停止させる。
【００２６】
電源制御部３６は、主制御部２８とは別の装置部として設けられる。またバッテリ残量検出部３７は、制御装置用電源３３の内部に設けられる。電源制御部３６とバッテリ残量検出部３７が、このように設けられるのは、比較的簡単に既設の自動改札装置の内部に増設することができるからである。以上説明した電源制御部３６とバッテリ検出部３７の配置例は一例であり、電源制御部３６は主制御部２８と一体に配置されるようにしても良く、バッテリ残量検出部３７はバックアップ電源３４に配置されるようにしても良い。
【００２７】
自動改札装置１０において、商用電源３１の停電時に、電源制御部３６の制御に基づいて、バックアップ電源３４に内蔵されるバッテリのバッテリ残量に応じて、パワー装置用電源３２からの複数の電力供給先装置部への電力供給をどのように段階的に停止（縮退）させるかについて、以下に説明する。
【００２８】
最初に自動改札装置１０を構成する各装置部分の消費電力について説明する。図３は、自動改札装置１０の全体の消費電力に対する自動改札装置１０を構成する各部の消費電力の割合の一例を示す。自動改札装置１０を構成する各部のうちで、消費電力の割合が１番大きいのは磁気カード搬送部１８で、自動改札装置全体の消費電力の３９％を占める。２番目に大きいのはドア部２３で、自動改札装置全体の消費電力の２０％を占める。次いで、制御部（主制御部２８、電源制御部３６等を含む）１３％、操作部（画面表示装置２５等を含む）８％、ＩＣカード処理部６％、その他（センサ部２１、ランプ２６等を含む）１４％と続く。磁気カード搬送部１８とドア部２３の消費電力の合計が自動改札装置１０の全体の消費電力の約６０％を占める。そのため、磁気カード搬送部１８とドア部２３の各動作を停止させる（縮退させる）ことにより、自動改札装置全体の消費電力の約６０％を低減することが可能になる。なお、ＩＣカードと磁気カード兼用の自動改札装置１０の待機時の消費電力は約２００Ｗである。
【００２９】
停電時における自動改札装置１０の各装置部の縮退動作の第１の動作例について説明する。この動作例では、電源制御部３６は、バックアップ電源３４のバッテリ残量に応じて、第１の段階でドア部２３への電力供給を停止し、第２の段階で磁気カード搬送部１８への電力供給を停止する。次いで、第３の段階で画面表示装置２５への電力供給を停止し、第４の段階でセンサ部２１およびランプ２６への電力供給を順次に停止する。
【００３０】
ＩＣカードと磁気カード兼用の自動改札装置１０において、待機時の消費電力が大きいのは、磁気カード搬送部１８、ドア部２３の順である。消費電力の大きさにより、停電の際に、磁気カード搬送部１８、ドア部２３の順で電力供給を停止することも考えられる。しかしながら、磁気カード搬送部１８を停止させると、磁気カードを使用することができなくなり、利用者に不都合をもたらす。他方、ドア部２３を停止すると不正利用者を放置することになるが、通常の利用者に不都合をもたらすことはない。そこで、待機時の消費電力が大きい磁気カード搬送部１８とドア部２３のうちで、２番目に待機時消費電力が大きいドア部２３を１番目に停止し、待機時消費電力が大きい磁気カード搬送部１８よりも先に停止させる。
【００３１】
図４は、自動改札装置１０の第１の動作例のフローチャートを示す。最初の通常運転時には、自動改札装置１０を構成する全ての機器に電力が供給され、全ての機器が動作した状態にある（ステップＳ１１）。
【００３２】
次に、商用電源３１の停電状態を検出する（ステップＳ１２）。そして、商用電源３１の停電を検出してから一定の時間が経過しているか否かを検出する（ステップＳ１３）。商用電源３１の停電を検出してからの経過時間が一定の時間、例えば１０ミリ秒（ｍｓ）未満の場合には、自動改札装置１０は、停電対応の動作を行わずに元の通常運転に復帰する。商用電源３１の停電を検出してからの経過時間が１０ミリ秒（ｍｓ）以上の場合には、バックアップ電源３４を動作させて、バックアップ電源動作モードに移行する（ステップＳ１４）。
【００３３】
バックアップ電源動作モードでは、バッテリ残量が検出される（ステップＳ１５）。バッテリ残量が完全に充電された値の１００％から７５％に至るまでは、自動改札装置１０を構成する全ての機器に電力供給が行われ、全ての機器が動作する。
【００３４】
バッテリ残量が７５％以下であることが検出されると（ステップＳ１６）、第１の段階を実行し、ドア部２３への電力供給が停止され、ドア部２３が停止する（ステップＳ１７）。バッテリ残量が５０％以下であることが検出されると（ステップＳ１８）、第２の段階を実行し、磁気カード搬送部１８への電力供給が停止され、磁気カード搬送部１８が停止する（ステップＳ１９）。
【００３５】
バッテリ残量が４０％以下であることが検出されると（ステップＳ２０）、第３の段階を実行し、画面表示装置２５への電力供給が停止され、画面表示装置２１が停止する（ステップＳ２１）。次に、バッテリ残量が３０％以下であることが検出されると（ステップＳ２２）、第４の段階を実行し、センサ部２１およびランプ２６への電力供給が停止され、センサ部２１およびランプ２６が停止する（ステップＳ２３）。
【００３６】
なおバッテリ残量が３０％以下であることが検出されても、主制御部２８、電源制御部３６、およびＩＣカード処理部１７には電力が供給され続ける。それにより、バッテリ残量不足のために自動改札装置全体が停止する直前まで、ＩＣカード処理部１７は動作を継続し、自動改札装置１０のＩＣカード処理部１７とＩＣカード６０との間で、データの送受が可能とされる。
【００３７】
図５は、停電の際に、パワー装置用電源３２が電力を供給する複数の機器（装置部）に対して電力の供給を段階的に停止する場合の、バッテリ残量と停止する機器との関係を概念的に示す。図５に示される円柱形状がバッテリ３４Ａの残量を表し、円柱上面がバッテリ３４Ａが使用されない状態、すなわちバッテリ残量１００％と対応する。円柱上面から底面に順に、バッテリ３４Ａにおける残量が７５％以下でドア部２３への電力供給を停止し、バッテリ残量が５０％以下で磁気カード搬送部１８への電力供給を停止する。そして、バッテリ残量が４０％以下で画面表示装置２５への電力供給を停止し、バッテリ残量が３０％以下でランプ２６およびセンサ部２１への電力供給を停止する。
【００３８】
次に、停電時における自動改札装置１０の各装置部の縮退動作の第２の動作例について説明する。ＩＣカードと磁気カード兼用の自動改札装置１０では、消費電力を節約するために、利用者が少ない場合に省電力動作モードで運転が行われる。図６は、ＩＣカードと磁気カード兼用の自動改札装置１０における省電力動作モードによる運転と消費電力の関係の一例を示す。ＩＣカードと磁気カードの両方が使用できる通常運転時には、例えば、待機時消費電力２００Ｗ、動作時消費電力３９０Ｗである。図６に示される自動改札装置１０の省電力動作モードでは、待機時の消費電力が大きい磁気カード搬送部１８を停止して、ＩＣカードのみを利用可能とするＩＣカード専用機として運転し、ドア部２３への電力供給を継続してドアの開閉を可能とする。ＩＣカード専用機でドアの開閉を可能とする運転では、待機時消費電力１４０Ｗ、動作時消費電力１８０Ｗである。ＩＣカードと磁気カードの両方が使用できる通常運転時に停電した場合には、第１段階として、ドア部２３への電力供給を継続してドアの開閉を可能としたまま、磁気カード搬送部１８への電力供給を停止して、ＩＣカード専用機として動作する省電力動作モードで運転する。次に、バッテリ残量に応じて、ドア部２３への電力供給を停止して、ドアの開閉を行わないＩＣカード専用機として運転する。ＩＣカード専用機でドアの開閉を行わない運転では、待機時消費電力４５Ｗ、動作時消費電力４５Ｗである
【００３９】
ドアの開閉を可能とするＩＣカード専用機として運転する省電力動作モードの運転時に、停電した場合には、バッテリ残量に応じて、ドアの開閉を可能とするＩＣカード専用機としての運転を継続する。次に、バッテリ残量に応じて、ドアの開閉を行わないＩＣカード専用機としての運転に移行する。
【００４０】
また、ＩＣカードと磁気カードの両方が使用できる通常運転時に、停電した場合に、バッテリ残量に応じて、ＩＣカードと磁気カードの両方が使用できる通常運転を継続し、次に、バッテリ残量に応じて、磁気カード搬送部１８とドア部２１への電力供給を同時に停止して、ドアの開閉を行わないＩＣカード専用機としての運転に直接移行しても良い。
【００４１】
自動改札装置１０における第２の動作例では、停電の際に、最初に、待機時の消費電力が大きい磁気カード搬送部１８を停止することにより、停電時のバックアップ電源３４による動作時間を長くすることができる。また停電の際に、磁気カード搬送部１８を停止する省電力動作モードでの運転を行うので、既に開発されている省電力動作モードでの運転のためのソフトウエアを利用することにより、停電の際の運転を行うための制御ソフトウエアを簡略化して、開発の手間とコストを低減することが可能となる。
【００４２】
図７は、自動改札装置１０の第２の動作例のフローチャートを示す。停電前の通常運転時には、自動改札装置１０を構成する全ての機器に電力が供給され、ＩＣカードと磁気カードの両方が利用できるＩＣカードと磁気カード兼用の自動改札装置として動作する（ステップ３１）。
【００４３】
商用電源３１の停電を検出する（ステップＳ３２）。次に、商用電源３１の停電を検出してから一定の時間が経過しているか否かを検出する（ステップＳ３３）。商用電源３１の停電を検出してからの経過時間が例えば１０ミリ秒（ｍｓ）未満の場合には、自動改札装置１０は、停電対応の動作を行わずに元の通常運転に復帰する。商用電源３１の停電を検出してからの経過時間が１０ミリ秒（ｍｓ）以上の場合には、バックアップ電源３４を動作させて、バックアップ電源動作モードの運転に移行する（ステップＳ３４）。
【００４４】
バックアップ電源動作モードの運転では、バッテリ残量が検出される（ステップＳ３５）。バッテリ残量が完全に充電された値の１００％からＡ％（１００＞Ａ）に至るまでは、ＩＣカードと磁気カードの両方が利用できるＩＣカードと磁気カード兼用の自動改札装置として動作する。
【００４５】
バッテリ残量がＡ％以下であることが検出されると（ステップＳ３６）、磁気カード搬送部１８への電力供給が停止されるが、ドア部２３への電力供給が継続され、ドアの開閉を行うＩＣカード専用機として動作する（ステップＳ３７）。
【００４６】
次に、バッテリ残量がＢ％以下（１００＞Ａ＞Ｂ）であることが検出されると（ステップＳ３８）、磁気カード搬送部１８とドア部２３への電力供給が停止され、ドアの開閉を行わないＩＣカード専用機として動作する（ステップＳ３９）。
【００４７】
図８は、自動改札装置１０の停電の際に、パワー装置用電源３２から複数の機器に対して電力を供給する場合のバッテリ残量と停電時間の関係を示す。自動改札装置１０で、ＩＣカードと磁気カードの両方を利用可能に運転する場合のバッテリ残量と時間の関係を△印直線〈１〉で示す。この場合、停電から２時間の運転が可能である。自動改札装置１０で、磁気カード搬送部１８への電力供給を停止しかつドア部２３への電力供給を継続してドアの開閉可能なＩＣカード専用機として運転した場合のバッテリ残量と時間の関係を□印直線〈２〉で示す。この場合、停電から５時間の運転が可能である。自動改札装置１０で、磁気カード搬送部１８とドア部２３への電力供給を停止してドアの開閉を行わないＩＣカード専用機として運転した場合のバッテリ残量と時間の関係を＊印直線〈３〉で示す。この場合、停電から１０時間の運転が可能である。次に自動改札装置１０で、ＩＣカードと磁気カードの両方を利用可能に１時間運転し、次にドアの開閉可能なＩＣカード専用機として２時間運転し、その後ドアの開閉を行わないＩＣカード専用機として運転した場合のバッテリ残量と時間の関係を○印直線〈４〉で示す。この場合、停電から６時間の運転が可能である。なお図８に示されるように、本実施形態に係る第２の動作例においては、停電から１時間以内であれば、ＩＣカードと磁気カード兼用の自動改札装置１０でＩＣカードと磁気カードの両方を利用できるように運転することが可能である。
【００４８】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【産業上の利用可能性】
【００４９】
本発明に係る自動改札装置は、ＩＣカードと磁気カードの両方に対応する自動改札装置であって、各パワー装置部に電力供給を行う電源と、各制御装置部に電力供給を行う第２電源を有するものにおいて、停電時のバックアップ電源の電力供給先装置部をパワー装置部につきバッテリ残量に応じて段階的に縮退させ、ＩＣカードと磁気カードに対応するフル機能の自動改札装置の停電時動作の効率化を図り、バックアップ電源の長時間動作を達成し、利用者に与える不都合を軽減するのに利用される。
【符号の説明】
【００５０】
１０    自動改札装置
１１    筐体
１２    ＩＣカード接触部
１４    磁気カード投入口
１５    磁気カード取り出し口
１７    ＩＣカード処理部
１８    磁気カード搬送部
１９    磁気カード処理部
２１    センサ部
２３    ドア部
２５    画面表示装置
２６    ランプ（灯火機器）
２７    改札通路
２８    主制御部
３１    商用電源
３２    パワー装置用電源（第１電源）
３３    制御装置用電源（第２電源）
３４    バックアップ電源（非常用電源）
３４Ａ  バッテリ
３６    電源制御部
３７    バッテリ残量検出部
６０    ＩＣカード
【図１】
2010257171.tif 000003
【図２】
2010257171.tif 000004
【図３】
2010257171.tif 000005
【図４】
2010257171.tif 000006
【図５】
2010257171.tif 000007
【図６】
2010257171.tif 000008
【図７】
2010257171.tif 000009
【図８】
2010257171.tif 000010